(57)【要約】【課題】容器を押圧する力に応じて流出する内容物の量がばらつくことを抑制する容器及びキャップを提供することを目的としている。【解決手段】前記ピストンは、前記閉塞位置にあるときに前記吐出口部を閉塞し、前記容器本体の内圧の上昇に伴って前記ピストンが前記閉塞位置から前記計量位置へ移動すると、前記ピストンと前記吐出口部の内面との間には前記内容物を計量する計量空間が形成され、且つ、前記ピストンは前記計量空間側と前記容器本体側とを区画し、前記容器本体の前記内圧の上昇に伴って前記ピストンが前記計量位置から前記開放位置へ移動する際に、前記ピストンが前記計量空間内の前記内容物を吐出させる、容器が提供される。【選択図】図１
2020001767.tif 000002
【特許請求の範囲】
【請求項１】
内容物を収容する容器本体と、前記容器本体に装着されたキャップとを備える容器であって、
前記キャップは、吐出口部と、ピストンとを備え、
前記吐出口部の軸上には、前記吐出口部の内側から吐出口側に向かう方向に順番に、閉塞位置、計量位置及び開放位置が並んでおり、
前記ピストンは、前記閉塞位置にあるときに前記吐出口部を閉塞し、
前記容器本体の内圧の上昇に伴って前記ピストンが前記閉塞位置から前記計量位置へ移動すると、前記ピストンと前記吐出口部の内面との間には前記内容物を計量する計量空間が形成され、且つ、前記ピストンは前記計量空間側と前記容器本体側とを区画し、
前記容器本体の前記内圧の上昇に伴って前記ピストンが前記計量位置から前記開放位置へ移動する際に、前記ピストンが前記計量空間内の前記内容物を吐出させる、容器。
【請求項２】
請求項１に記載の容器であって、
前記計量空間は閉空間である、容器。
【請求項３】
請求項１又は請求項２に記載の容器であって、
前記ピストンが前記計量位置から前記開放位置に移動すると、前記計量空間が前記ピストンによって埋められる、容器。
【請求項４】
請求項１〜請求項３の何れか１つに記載の容器であって、
前記ピストンは第１胴部とガスケット部とを有し、
第１胴部には、前記ガスケット部が環状に設けられ、
前記ピストンが前記閉塞位置にあるとき、第１胴部と前記吐出口部の内面との間には隙間が形成され、
前記ピストンが前記計量位置にあるとき、前記ガスケット部は、前記計量空間側と前記容器本体側とを区画する、容器。
【請求項５】
請求項４に記載の容器であって、
第１胴部には、前記ピストンの長手方向に平行に延びるガイド部が設けられ、
前記ガイド部は、前記ガスケット部に交差するように設けられる、容器。
【請求項６】
請求項４又は請求項５に記載の容器であって、
第１胴部は傾斜面を有し、
前記傾斜面は前記ピストンの基端部側から前記ピストンの先端側へ向かう方向に先細るように形成されている、容器。
【請求項７】
請求項４〜請求項６の何れか１つに記載の容器であって、
前記ピストンは第２胴部を有し、
第２胴部は第１胴部よりも前記ピストンの先端側に設けられ、且つ、第２胴部は拡経部を有し、
前記ピストンが前記閉塞位置にあるとき、前記拡経部は前記吐出口部を閉塞し、
前記ピストンが前記開放位置にあるとき、前記拡経部は前記吐出口部を開放する、容器。
【請求項８】
請求項１〜請求項７の何れか１つに記載の容器であって、
前記キャップは、付勢部を備え、
前記付勢部は前記ピストンを前記開放位置側から前記閉塞位置側に付勢するように構成される、容器。
【請求項９】
請求項８に記載の容器であって、
前記付勢部は取付部と腕状部とを有し、
前記取付部には前記ピストンが固定され、
前記腕状部の一端は前記取付部に接続され、前記腕状部の他端は前記吐出口部の内面側に設けられている、容器。
【請求項１０】
吐出口部と、ピストンとを備え、
前記吐出口部の軸上には、前記吐出口部の内側から吐出口側に向かう方向に順番に、閉塞位置、計量位置及び開放位置が並んでおり、
前記ピストンは、前記閉塞位置にあるときに前記吐出口部を閉塞し、
前記ピストンが前記閉塞位置から前記計量位置へ移動すると、前記ピストンと前記吐出口部の内面との間には計量空間が形成され、且つ、前記ピストンは、前記計量空間側と、容器本体に装着される部分側とを区画し、
前記ピストンが前記計量位置から前記開放位置へ移動すると、前記吐出口と前記計量空間とが連通した状態で前記計量空間の容積が減少する、キャップ。
【発明の詳細な説明】
【技術分野】
【０００１】
本発明は、容器及びキャップに関する。
【背景技術】
【０００２】
特許文献１には、内容物が収容される容器本体と、内容物の吐出口が形成された吐出部と、吐出部の内側に設けられている弁体と、を備える容器が開示されている。特許文献１の容器では、使用者が容器本体を押圧することで容器本体の内圧が上昇し、容器本体の内圧の上昇に伴って弁体が移動する。これにより、特許文献１の容器内には容器本体の空間から吐出部の吐出口にかけて繋がる流路が形成され、内容物が容器内から容器外へ流出する。
【０００３】
特許文献１の吐出口が弁体に閉塞されている状態において、弁体と吐出口部の内面との間には閉空間が形成されている。特許文献１の容器にはこの閉空間が形成されていることにより、大気圧と容器内圧との圧力差を緩和し、内容液が容器外へ過剰に流出することを防止している。
【先行技術文献】
【特許文献】
【０００４】
【特許文献１】特開２０１６−１３２４６５号公報
【発明の概要】
【発明が解決しようとする課題】
【０００５】
容器から内容物を出すときにおいて容器を押圧する力は使用者によって異なる。特許文献１の容器は大気圧と容器内圧との圧力差を緩和する構成を備えているが、使用者が容器を押圧する力が強くなると、当該構成が圧力差を緩和しきれず、内容物の流出量が想定以上に大きくなってしまう場合がある。
【０００６】
本発明はこのような事情に鑑みてなされたものであり、容器本体を押圧する力に応じて流出する内容物の量がばらつくことを抑制する容器及びキャップを提供することを目的としている。
【課題を解決するための手段】
【０００７】
本発明によれば、内容物を収容する容器本体と、前記容器本体に装着されたキャップとを備える容器であって、前記キャップは、吐出口部と、ピストンとを備え、前記吐出口部の軸上には、前記吐出口部の内側から吐出口側に向かう方向に順番に、閉塞位置、計量位置及び開放位置が並んでおり、前記ピストンは、前記閉塞位置にあるときに前記吐出口部を閉塞し、前記容器本体の内圧の上昇に伴って前記ピストンが前記閉塞位置から前記計量位置へ移動すると、前記ピストンと前記吐出口部の内面との間には前記内容物を計量する計量空間が形成され、且つ、前記ピストンは前記計量空間側と前記容器本体側とを区画し、前記容器本体の前記内圧の上昇に伴って前記ピストンが前記計量位置から前記開放位置へ移動する際に、前記ピストンが前記計量空間内の前記内容物を吐出させる、容器が提供される。
【０００８】
本発明によれば、使用者が容器本体を傾けると内容物が吐出口部の内面とピストンとの間の空間（ここでは、当該空間と称する）に流れ込み、そして、使用者が容器本体を押圧すると容器本体の内圧が上昇し、ピストンが閉塞位置から計量位置へ移動する。ピストンが閉塞位置から計量位置へ移動すると、吐出口部の内面とピストンとの間には、所定量の内容物を収容する計量空間が形成される。ピストンは計量空間側と容器本体側とを区画しているので、当該空間の内容物の残りは計量空間に侵入できない。そして、使用者が容器本体を更に押圧すると容器本体の内圧が更に上昇し、ピストンが計量位置から開放位置へ移動し、所定量の内容物が吐出口から容器外へ流出する。このように、本発明によれば、容器本体を押圧する力に応じて流出する内容物の量がばらつくことが抑制される。
【０００９】
以下、本発明の種々の実施形態を例示する。以下に示す実施形態は互いに組み合わせ可能である。
好ましくは、前記計量空間は閉空間である。
好ましくは、前記ピストンが前記計量位置から前記開放位置に移動すると、前記計量空間が前記ピストンによって埋められる。
好ましくは、前記ピストンは第１胴部とガスケット部とを有し、第１胴部には、前記ガスケット部が環状に設けられ、前記ピストンが前記閉塞位置にあるとき、第１胴部と前記吐出口部の内面との間には隙間が形成され、前記ピストンが前記計量位置にあるとき、前記ガスケット部は、前記計量空間側と前記容器本体側とを区画する。
好ましくは、第１胴部には、前記ピストンの長手方向に平行に延びるガイド部が設けられ、前記ガイド部は、前記ガスケット部に交差するように設けられる。
好ましくは、第１胴部は傾斜面を有し、前記傾斜面は前記ピストンの基端部側から前記ピストンの先端側へ向かう方向に先細るように形成されている。
好ましくは、前記ピストンは第２胴部を有し、第２胴部は第１胴部よりも前記ピストンの先端側に設けられ、且つ、第２胴部は拡経部を有し、前記ピストンが前記閉塞位置にあるとき、前記拡経部は前記吐出口部を閉塞し、前記ピストンが前記開放位置にあるとき、前記拡経部は前記吐出口部を開放する。
好ましくは、前記キャップは、付勢部を備え、前記付勢部は前記ピストンを前記開放位置側から前記閉塞位置側に付勢するように構成される。
好ましくは、前記付勢部は取付部と腕状部とを有し、前記取付部には前記ピストンが固定され、前記腕状部の一端は前記取付部に接続され、前記腕状部の他端は前記吐出口部の内面側に設けられている。
好ましくは、吐出口部と、ピストンとを備え、前記吐出口部の軸上には、前記吐出口部の内側から吐出口側に向かう方向に順番に、閉塞位置、計量位置及び開放位置が並んでおり、前記ピストンは、前記閉塞位置にあるときに前記吐出口部を閉塞し、前記ピストンが前記閉塞位置から前記計量位置へ移動すると、前記ピストンと前記吐出口部の内面との間には計量空間が形成され、且つ、前記ピストンは、前記計量空間側と、容器本体に装着される部分側とを区画し、前記ピストンが前記計量位置から前記開放位置へ移動すると、前記吐出口と前記計量空間とが連通した状態で前記計量空間の容積が減少する、キャップが提供される。
【図面の簡単な説明】
【００１０】
【図１】図１Ａは実施形態に係る容器１の正面図であり、図１Ｂは図１Ａに示す容器本体３の垂直断面図である。
【図２】実施形態に係る容器１のキャップ２の分解斜視図である。
【図３】図３は吐出口部２０の垂直断面図である。
【図４】ピストン３０の正面図である。
【図５】図５Ａは付勢部４０の上面図であり、図５Ｂは付勢部４０の斜視図である。
【図６】図６Ａはピストン３０が閉塞位置Ｐ１にあるときにおけるキャップ２の断面図であり、図６Ｂは図６Ａに示す領域Ａの拡大図である。
【図７】図７Ａはピストン３０が計量位置Ｐ２にあるときにおけるキャップ２の断面図であり、図７Ｂは図７Ａに示す領域Ｂの拡大図である。
【図８】図８Ａはピストン３０が開放位置Ｐ３にあるときにおけるキャップ２の断面図であり、図８Ｂは図８Ａに示す領域Ｃの拡大図である。
【発明を実施するための形態】
【００１１】
以下、本発明の実施形態について説明する。以下に示す実施形態中で示した各種特徴事項は、互いに組み合わせ可能である。また、各特徴について独立して発明が成立する。以下の説明中での上（上側）及び下（下側）は、において、図１に示すように容器本体３を立設させた状態での上（上側）及び下（下側）を意味する。
【００１２】
１．全体構成
図１Ａに示すように、容器１は、キャップ２と容器本体３とを備える。容器本体３は、内容物を収容する収容部３Ａと、収容部３Ａから内容物を吐出する口部３Ｂを備える。キャップ２は、口部３Ｂに装着される。図１Ｂに示すように、容器本体３は、収容部３Ａ及び口部３Ｂにおいて、外殻４と内袋５を備える。容器本体３は樹脂で構成されており、容器本体３は、使用者が押圧したときに収縮し、その後、収縮した状態から復元するように構成される。内容物の減少に伴って内袋５が外殻４から剥離することによって、内袋５が収縮し、内袋５が外殻４から離間する。外殻４は、復元性が高くなるように、内袋５よりも肉厚に形成される。
【００１３】
外殻４には、収容部３Ａに設けられた凹部３ａにおいて、外殻４と内袋５の間の中間空間と、容器本体３の外部空間とを連通する外気導入孔３ｃが形成されている。外気導入孔３ｃには、外殻４と内袋５の間の空間への空気の出入りを調整するための弁部材等を装着することができる。外気導入孔３ｃを設ける代わりに、外殻４と内袋５の間に隙間を設けて外気を導入するようにしてもよい。口部３Ｂには、係合部３ｂが形成されている。係合部３ｂは、キャップ２の突出部２３Ｂ（図３参照）に係合されるリング状の突起である。実施形態に係る容器本体３には打栓式のキャップ２が装着されている。なお、キャップ２は、ネジ式で容器本体３に装着される形態であってもよい。
【００１４】
２．キャップ２の詳細構成
図２に示すように、キャップ２は、吐出口部２０と、ピストン３０と、付勢部４０とを備える。
【００１５】
＜吐出口部２０＞
図３に示すように、吐出口部２０は、ノズル２１と、内筒状部２２と、外筒状部２３とを備える。図３及び図６Ａに示すように、吐出口部２０の軸２０Ａ上には、吐出口部２０の内側から吐出口２１Ａ側に向かう方向に順番に、閉塞位置Ｐ１と、計量位置Ｐ２と、開放位置Ｐ３とが並んでいる。実施形態において、閉塞位置Ｐ１、計量位置Ｐ２及び開放位置Ｐ３を、ピストン３０の移動方向における、ピストン３０の先端の位置として定義する。閉塞位置Ｐ１、計量位置Ｐ２及び開放位置Ｐ３を定義する方法は、これに限定されるものではない。
【００１６】
ノズル２１は基端側から先端側に向かって先細る筒状部材であり、ノズル２１の内側にはピストン３０が設けられる。ノズル２１には吐出口２１Ａが形成され、吐出口２１Ａは容器１に収容される内容物を容器１外に流出させる。図３及び図６Ａに示すように、使用者が容器１を押圧していない状態において、吐出口２１Ａはピストン３０によって閉塞されている。図３及び図６Ｂに示すように、使用者が容器１を押圧していない状態において、ノズル２１の内側には、貯留空間２１Ｂが形成されている。貯留空間２１Ｂは、ノズル２１の基端から先端側にかけて形成されている。使用者が容器１を押圧していない状態において使用者が容器１を傾けると、内容物が容器本体３内の空間から貯留空間２１Ｂに移動し、内容物が貯留空間２１Ｂを満たす。また、図３に示すように、ノズル２１の内側には、後述するガスケット部３５と摺動する摺動面２１Ｃが形成されている。
【００１７】
図２及び図３に示すように、内筒状部２２は、円筒状部材であり、ノズル２１の基端側に接続されている。内筒状部２２の内側にはピストン３０及び付勢部４０が設けられている。内筒状部２２は係止部２２Ａと取付面部２２Ｂとフランジ２２Ｃとを有する。係止部２２Ａは内筒状部２２の内周面に環状に設けられており、また、図３及び図６Ａに示すように、係止部２２Ａはピストン３０側に突出している。取付面部２２Ｂには、付勢部４０が取り付けられる。付勢部４０は係止部２２Ａと取付面部２２Ｂとの間に配置されており、付勢部４０は係止部２２Ａに係止されることで付勢部４０は内筒状部２２から外れないように構成される。フランジ２２Ｃは内筒状部２２の外周面に環状に形成されている。フランジ２２Ｃは係止部２２Ａの裏側に形成されている。ここで、係止部２２Ａは付勢部４０を係止し続けているので、内筒状部２２には係止部２２Ａが形成されている部分に応力が生じやすい。内筒状部２２にはフランジ２２Ｃが形成されているので、吐出口部２０が先述した応力によって変形することが抑制される。
【００１８】
図２及び図３に示すように、外筒状部２３は、円筒状部材であり、内筒状部２２に接続されている。外筒状部２３は、内筒状部２２のフランジ２２Ｃに接続されている。外筒状部２３は、雄ねじ部２３Ａと、突出部２３Ｂとを有する。雄ねじ部２３Ａは、キャップ２を収容する図示省略のカバーに螺合するように構成される。突出部２３Ｂは、内筒状部２２側に突出するように形成された環状の突出部である。突出部２３Ｂは口部３Ｂの係合部３ｂに係合する。内筒状部２２と外筒状部２３との間の隙間２３Ｃには口部３Ｂが挿入される。
【００１９】
＜ピストン３０＞
図４に示すように、ピストン３０は、先端部３１と、第１胴部３２と、第２胴部３３と、基端部３４と、ガスケット部３５と、ガイド部３６とを備える。ピストン３０は長尺状の棒状部材である。図３及び図４に示すように、ピストン３０は、ピストン３０の軸３０Ａがノズル２１の軸２０Ａ上に位置するように、ノズル２１に設けられている。ピストン３０が閉塞位置Ｐ１から開放位置Ｐ３にかけて移動するように、ピストン３０は構成されている。ピストン３０は、ノズル２１の吐出口２１Ａを閉塞する第１機能と、所定量の内容物を計量する第２機能と、当該所定量の内容物を容器１内から容器１外へ流出させる第３機能と、を有する。第２機能は、ピストン３０が内容物によって加圧されてピストン３０が前進することで実現される。具体的には、図６Ａ及び図７Ａに示すように、ピストン３０が前進することで、ピストン３０と吐出口部２０の内面との間には内容物を計量する計量空間Ｓｐが形成される。実施形態において、計量空間Ｓｐは閉空間である。
【００２０】
先端部３１は、先端に向かって先細るように形成されている。これにより、ピストン３０を伝う内容物がピストン３０から滴下されやすくなり、内容物がピストン３０に付着したままとなってしまうこと、すなわちピストン３０に液残りが生じること、が抑制される。また、ピストン３０が閉塞位置Ｐ１にあるとき、先端部３１はノズル２１から露出している。
【００２１】
図４に示すように、第１胴部３２は円柱状部材であり、第１胴部３２の外周面にはガスケット部３５及びガイド部３６が設けられている。ガスケット部３５は第１胴部３２に環状に設けられている。実施形態では、ガスケット部３５がピストン３０の軸方向に並ぶように、第１胴部３２に３つ設けられているが、ガスケット部３５の数は３つに限定されるものではない。後述のキャップ２の動作で説明するように、ガスケット部３５はキャップ２内の空間を上下に区画する機能を有する。ガイド部３６はピストン３０の長手方向に平行に延びており、ガイド部３６はガスケット部３５に交差するように設けられている。ガイド部３６がピストン３０に設けられているので、ピストン３０がノズル２１の軸から傾きにくくなり、その結果、ピストン３０が上下に移動しているときにおいてピストン３０の軸がノズル２１の軸上から外れることが抑制される。つまり、ガイド部３６がピストン３０に設けられているので、ピストン３０がより確実に直進運動する。これにより、上述した第１〜第３機能がより確実に発揮される。また、ピストン３０が移動すると、ガスケット部３５がノズル２１の内面と摺動する。ここで、ガスケット部３５がノズル２１の内面と摺動しているときにおいて、ガスケット部３５の姿勢はガイド部３６に保持される。このため、ガスケット部３５がノズル２１の内面と摺動しているときに、ガスケット部３５が屈曲又は変形してしまうことが抑制される。
【００２２】
図４に示すように、第１胴部３２は傾斜面３２Ａを有する。傾斜面３２Ａは基端部３４側から先端部３１側に向かう方向に先細るように形成されている。このため、ピストン３０が開放位置Ｐ３にあるとき、傾斜面３２Ａはノズル２１の先端へ向かって突き出す状態となる。このため、図７Ａ及び図８Ａに示すように、計量空間Ｓｐの内容物が傾斜面３２Ａによってより確実に押し出され、ピストン３０に液残りが生じることが抑制される。また、ピストン３０には傾斜面３２Ａが形成されているので、ピストン３０は成形性が向上している。
【００２３】
図７Ｂに示すように、計量空間Ｓｐは、ガスケット部３５と、ピストン３０の外周面のうちガスケット部３５よりも上側の部分と、ノズル２１の内面と、によって形成される閉空間である。ピストン３０が計量位置Ｐ２にあるとき、ガスケット部３５は、計量空間Ｓｐ（上側の空間）と容器本体３側の空間（下側の空間）とに区画する。
【００２４】
図４に示すように、第２胴部３３は円柱状部材であり、第１胴部３２よりもピストン３０の先端側に設けられている。第２胴部３３は拡経部３３Ａを有する。図６Ａに示すように、ピストン３０が閉塞位置Ｐ１にあるとき、拡経部３３Ａはノズル２１の内面に当接して吐出口部２０の吐出口２１Ａを閉塞する。また、図８Ａに示すように、ピストン３０が開放位置Ｐ３にあるとき、拡経部３３Ａはノズル２１から突き出して吐出口２１Ａを開放する。
【００２５】
図４に示すように、基端部３４は凹部３４Ａと加圧面３４Ｂとを有する。凹部３４Ａはピストン３０に環状に形成されている。凹部３４Ａには付勢部４０が嵌め込まれている。これにより、基端部３４が付勢部４０に固定される。使用者が容器本体３を押圧すると、加圧面３４Ｂが内容物によって加圧され、ピストン３０が前進し、吐出口部２０の吐出口２１Ａが開放される。
【００２６】
＜付勢部４０＞
図５に示すように、付勢部４０は、取付部４１と、腕状部４２と、固定部４３とを有する。付勢部４０は、例えば、シリコーンゴム等のエラストマーによって構成される。付勢部４０は、容器１内の内圧の変化によってピストン３０が移動すると弾性変形するように構成される。取付部４１には基端部３４が挿入される開口部４１Ａが形成され、基端部３４の凹部３４Ａには開口部４１Ａの縁が嵌められる。取付部４１には、隣接する腕状部４２が１２０度の角度をなすように３つの腕状部４２が接続されている。なお、腕状部４２の数は３つに限定されるものではない。腕状部４２の一端は取付部４１に接続され、腕状部４２の他端は固定部４３に接続されている。使用者によって容器本体３が押圧されていない状態において、腕状部４２の一端は腕状部４２の他端よりも下に配置されている。取付部４１と腕状部４２と固定部４３との間には隙間４４が形成されている。内容物は、隙間４４を通り、ノズル２１へ至る。固定部４３は環状部材である。固定部４３は係止部２２Ａと取付面部２２Ｂとの間に配置されており、固定部４３は係止部２２Ａに係止される。
【００２７】
３．キャップ２の動作
次に、実施形態に係る容器１の動作を説明する。
図６Ａ及び図６Ｂに示すように、容器本体３が押圧されていない状態では、ピストン３０の加圧面３４Ｂが内容物によって加圧されないので、ピストン３０は閉塞位置Ｐ１に位置している。ピストン３０が閉塞位置Ｐ１に位置している状態において、ピストン３０は吐出口２１Ａを閉塞しており、また、ピストン３０とノズル２１内面との間には隙間Ｓｒが形成される。使用者が容器本体３を押圧していない状態において使用者が容器１を傾けると、内容物が容器本体３内の空間から貯留空間２１Ｂに流入し、内容物が隙間Ｓｒを通過し、内容物は貯留空間２１Ｂを満たす。
【００２８】
図７Ａ及び図７Ｂに示すように、使用者が容器本体３を押圧すると、ピストン３０の加圧面３４Ｂが内容物によって加圧され、ピストン３０は貯留空間２１Ｂの内容物を押し退けながら前進し、ピストン３０は閉塞位置Ｐ１から計量位置Ｐ２へ移動する。ピストン３０が計量位置Ｐ２にあるときにおいて、ピストン３０と吐出口部２０の内面との間には計量空間Ｓｐが形成されている。ピストン３０が計量位置Ｐ２にあるとき、ガスケット部３５は、計量空間Ｓｐ（上側の空間）と容器本体３側の空間（下側の空間）とを区画している。計量位置Ｐ２は、ガスケット部３５が計量空間Ｓｐ（上側の空間）と容器本体３側の空間（下側の空間）とを区画し始める位置である。ピストン３０が計量位置Ｐ２にあるとき、計量空間Ｓｐには内容物が満たされている。計量空間Ｓｐは所定容積の閉空間であるため、計量空間Ｓｐの内容物の量も所定量である。
【００２９】
図８Ａ及び図８Ｂに示すように、使用者が容器本体３を更に押圧すると、ピストン３０の加圧面３４Ｂが内容物によって更に加圧され、ピストン３０は計量位置Ｐ２から開放位置Ｐ３へ移動する。ピストン３０が計量位置Ｐ２から開放位置Ｐ３へ移動する途中において、ノズル２１の吐出口２１Ａが開放され、計量空間Ｓｐと容器１外とが連通する。ピストン３０が計量位置Ｐ２から開放位置Ｐ３へ移動すると、計量空間Ｓｐの容積が減少するように計量空間Ｓｐがピストン３０によって埋められる。つまり、計量空間Ｓｐの内容物はピストン３０によって容器１外へ押し出される。
【００３０】
使用者が容器本体３を押圧することをやめると、ピストン３０は、付勢部４０の作用により、開放位置Ｐ３から閉塞位置Ｐ１に移動する。
【００３１】
４．実施形態の効果
使用者が容器本体３を傾けると、内容物が貯留空間２１Ｂに流れ込み、そして、使用者が容器本体３を押圧すると容器本体３の内圧が上昇し、ピストン３０が閉塞位置Ｐ１から計量位置Ｐ２へ移動する。ピストン３０が閉塞位置Ｐ１から計量位置Ｐ２へ移動すると、キャップ２には、所定量の内容物を収容する計量空間Ｓｐが形成される。つまり、ピストン３０が閉塞位置Ｐ１から計量位置Ｐ２へ移動すると、貯留空間２１Ｂの内容物の一部が計量空間Ｓｐに閉じ込められる。ピストン３０は、計量空間Ｓｐ側と容器本体３側とを区画しているので、貯留空間２１Ｂの内容物の残りは計量空間Ｓｐに侵入できない。つまり、使用者が容器１を押圧する力が強くなるとピストン３０の加圧面３４Ｂにかかる圧力が増大してピストン３０の移動速度は上昇するが、使用者が容器１を押圧する力が強くなっても、ピストン３０が計量位置Ｐ２にある場合には、貯留空間２１Ｂの内容物の当該残りは計量空間Ｓｐに侵入できなくなる。そして、容器本体３の内圧が更に上昇してピストン３０が計量位置Ｐ２から開放位置Ｐ３へ移動し、ノズル２１の吐出口２１Ａが開放されると、計量空間Ｓｐの所定量の内容物が吐出口２１Ａから容器１外へ流出する。このように、実施形態に係る容器１は、容器本体３を押圧する力に応じて、容器１から流出する内容物の量がばらつくことが抑制される。
【００３２】
５．変形例
実施形態では、計量空間Ｓｐは閉空間であったがそれに限定されるものではない。ピストン３０が計量位置Ｐ２にあるときにおいて、ピストン３０とノズル２１の先端の内面との間には隙間が形成されていてもよい。つまり、ピストン３０が計量位置Ｐ２にあるときにおいて、計量空間Ｓｐは容器１外と連通していてもよい。ピストン３０が計量位置Ｐ２にあるときにおいて使用者が容器１を傾けても、内容物は表面張力を有するので、計量空間Ｓｐの内容物は、ピストン３０とノズル２１の先端の内面との間に形成される隙間から流出することが抑制される。
【符号の説明】
【００３３】
１      ：容器
２      ：キャップ
３      ：容器本体
３Ａ    ：収容部
３Ｂ    ：口部
３ａ    ：凹部
３ｂ    ：係合部
３ｃ    ：外気導入孔
４      ：外殻
５      ：内袋
２０    ：吐出口部
２０Ａ  ：軸
２１    ：ノズル
２１Ａ  ：吐出口
２１Ｂ  ：貯留空間
２１Ｃ  ：摺動面
２２    ：内筒状部
２２Ａ  ：係止部
２２Ｂ  ：取付面部
２２Ｃ  ：フランジ
２３    ：外筒状部
２３Ａ  ：雄ねじ部
２３Ｂ  ：突出部
２３Ｃ  ：隙間
３０    ：ピストン
３０Ａ  ：軸
３１    ：先端部
３２    ：第１胴部
３２Ａ  ：傾斜面
３３    ：第２胴部
３３Ａ  ：拡経部
３４    ：基端部
３４Ａ  ：凹部
３４Ｂ  ：加圧面
３５    ：ガスケット部
３６    ：ガイド部
４０    ：付勢部
４１    ：取付部
４１Ａ  ：開口部
４２    ：腕状部
４３    ：固定部
４４    ：隙間
Ｐ１    ：閉塞位置
Ｐ２    ：計量位置
Ｐ３    ：開放位置
Ｓｐ    ：計量空間
Ｓｒ    ：隙間
【図１】
2020001767.tif 000003
【図２】
2020001767.tif 000004
【図３】
2020001767.tif 000005
【図４】
2020001767.tif 000006
【図５】
2020001767.tif 000007
【図６】
2020001767.tif 000008
【図７】
2020001767.tif 000009
【図８】
2020001767.tif 000010